(57)【要約】【課題】第三者によって表示装置に表示される情報が見られてしまうことを防止しつつ、ユーザによるパスワード入力操作の負担を軽減して操作性を向上させる。【解決手段】情報処理装置２は、ユーザによる操作入力を受け付けて各種情報を入力する操作入力部１４と、各種情報を表示する表示装置１３と、表示装置１３の表示画面にマスク処理を施す条件となるマスク処理設定情報を設定するマスク処理設定部３２と、マスク処理設定情報に基づいて印刷ジョブを送信した後の所定のタイミングで表示装置１３の表示画面にマスク処理を施すと共に、当該マスク処理を施した状態で表示装置１３の表示画面をロックするマスク処理部３５と、画像形成装置において印刷ジョブが実行されることに伴って画像形成装置から受信するロック解除指令に基づいて表示装置１３の表示画面のロック状態を解除するロック解除部３６と、を備える構成である。【選択図】図２
2011198168.tif 000002
【特許請求の範囲】
【請求項１】
画像形成装置において印刷出力を行わせるための印刷ジョブを生成して送信する情報処理装置であって、
ユーザによる操作入力を受け付けて各種情報を入力する操作入力手段と、
各種情報を表示する表示手段と、
前記表示手段の表示画面にマスク処理を施す条件となるマスク処理設定情報を設定する設定手段と、
前記マスク処理設定情報に基づいて前記印刷ジョブを送信した後の所定のタイミングで前記表示手段の表示画面にマスク処理を施すと共に、当該マスク処理を施した状態で前記表示手段の表示画面をロックするマスク処理手段と、
前記画像形成装置において前記印刷ジョブが実行されることに伴って前記画像形成装置から受信するロック解除指令に基づいて前記表示手段の表示画面のロック状態を解除する解除手段と、
を備えることを特徴とする情報処理装置。
【請求項２】
前記解除手段は、前記表示手段の表示画面のロック状態を解除すると共に、前記表示手段の表示画面に施されたマスク処理を解除することを特徴とする請求項１に記載の情報処理装置。
【請求項３】
前記解除手段は、前記表示手段の表示画面のロック状態を解除してから所定の有効時間が経過するまでの間に前記操作入力手段に対する操作が行われることにより、前記表示手段の表示画面に施されたマスク処理を解除することを特徴とする請求項１又は２に記載の情報処理装置。
【請求項４】
前記マスク処理手段は、前記表示手段の表示画面のロック状態が解除されてから所定の有効時間が経過するまでの間に前記操作入力手段に対する操作が行われなかった場合、前記表示手段の表示画面にマスク処理を施した状態で前記表示手段の表示画面を再度ロックすることを特徴とする請求項１乃至３のいずれかに記載の情報処理装置。
【請求項５】
前記マスク処理手段は、前記印刷ジョブを送信した直後のタイミング、前記印刷ジョブを送信してから前記操作入力手段に対する操作が行われない状態で所定時間が経過したタイミング、前記画像形成装置から送信される印刷ジョブ受信通知を受信したタイミング、および、前記画像形成装置から送信される印刷ジョブ実行開始通知を受信したタイミングのうちのいずれかのタイミングで、前記表示手段の表示画面にマスク処理を施すと共に、当該マスク処理を施した状態で前記表示手段の表示画面をロックすることを特徴とする請求項１乃至４のいずれかに記載の情報処理装置。
【請求項６】
印刷ジョブを生成して送信する情報処理装置と、前記情報処理装置から送信される印刷ジョブを受信して印刷出力を行う画像形成装置とを有する画像形成システムであって、
前記情報処理装置は、各種情報を表示する表示手段を備えており、前記表示手段の表示画面に施すマスク処理に関するマスク処理設定情報を付加した印刷ジョブを生成し、当該印刷ジョブを前記画像形成装置へ送信した後の所定のタイミングで前記表示手段の表示画面にマスク処理を施すと共に、当該マスク処理を施した状態で前記表示手段の表示画面をロックする構成であり、
前記画像形成装置は、前記情報処理装置から受信する印刷ジョブを実行することに伴い、前記マスク処理設定情報に基づいて前記情報処理装置にロック解除指令を送信する構成であり、
前記情報処理装置は、前記画像形成装置から受信する前記ロック解除指令に基づいて前記表示手段の表示画面のロック状態を解除することを特徴とする画像形成システム。
【請求項７】
印刷ジョブを実行して印刷出力を行う画像形成装置であって、
各種情報を表示する表示手段を有する情報処理装置から、前記表示手段の表示画面に施されるマスク処理に関するマスク処理設定情報が付加された印刷ジョブを受信する受信手段と、
前記受信手段によって印刷ジョブが受信されることに伴って前記マスク処理設定情報を解析することにより、前記情報処理装置において前記表示手段の表示画面にマスク処理が施された状態でのロックを解除するための条件を判定する条件判定手段と、
前記受信手段によって受信された印刷ジョブを実行するジョブ実行手段と、
前記ジョブ実行手段によって印刷ジョブが実行されることに伴い、前記条件判定手段で判定された条件に従って前記情報処理装置にマスク処理が施された状態のロックを解除させるためのロック解錠指令を送信する送信手段と、
を備えることを特徴とする画像形成装置。
【請求項８】
各種情報を表示する表示手段を有するコンピュータにおいて実行されるプログラムであって、前記コンピュータを、
前記表示手段の表示画面にマスク処理を施す条件となるマスク処理設定情報を設定する設定手段、
前記マスク処理設定情報を付加した印刷ジョブを生成し、当該印刷ジョブを所定の画像形成装置に送信する送信手段、
前記マスク処理設定情報に基づいて前記印刷ジョブを送信した後の所定のタイミングで前記表示手段の表示画面にマスク処理を施すと共に、当該マスク処理を施した状態で前記表示手段の表示画面をロックするマスク処理手段、および、
前記画像形成装置において前記印刷ジョブが実行されることに伴って前記画像形成装置から受信するロック解除指令に基づいて前記表示手段の表示画面のロック状態を解除する解除手段、
として機能させることを特徴とするプログラム。
【発明の詳細な説明】
【技術分野】
【０００１】
本発明は、情報処理装置、画像形成システム、画像形成装置およびプログラムに関し、特に表示画面に表示された情報が盗み見られることによる情報の流出を防止するための技術に関する。
【背景技術】
【０００２】
従来、オフィスなどのネットワーク環境にはプリンタなどの画像形成装置が設けられている。画像形成装置は、ネットワークを介して受信する印刷ジョブを実行して印刷出力を行うように構成される。このようなネットワーク環境には、例えばユーザごとに割り当てられたコンピュータが配置されている。ユーザは、自身のコンピュータを操作することによって画像形成装置に印刷ジョブを送信した後、画像形成装置の設置場所まで移動することにより画像形成装置から出力される印刷物を取得する。
【０００３】
このような環境では、ユーザが印刷物を取得するために画像形成装置の設置場所まで移動している間に、ユーザのコンピュータにおいて表示されている情報が第三者によって盗み見られる可能性があり、セキュリティ上の問題がある。そのため、従来は、コンピュータで表示された情報が盗み見られることによる情報の流出を防止するための技術として種々の提案がなされている（例えば特許文献１，２，３，４，５）。
【０００４】
これらの従来技術では、例えばコンピュータにインストールされているプリンタドライバが画像形成装置への印刷ジョブの送信を開始すると、所定の遅延時間経過後にコンピュータ上でスクリーンセーバなどを起動することにより、コンピュータで表示される情報が第三者に盗み見られることを防止している。
【先行技術文献】
【特許文献】
【０００５】
【特許文献１】特開２００４−３２６５３３号公報
【特許文献２】特開２００７−１１９８６号公報
【特許文献３】特開２００７−７２８９２号公報
【特許文献４】特開２００９−１９９３３７号公報
【特許文献５】特開２００９−２５１７４６号公報
【発明の概要】
【発明が解決しようとする課題】
【０００６】
ところで、コンピュータ上で起動されるスクリーンセーバは、キーボード操作やマウス操作が行われたタイミングで解除されてしまう可能性がある。この場合、ユーザが離席している間に、第三者によってキーボード操作やマウス操作が行われてしまうと、コンピュータで表示される情報が見られてしまうことになる。これを防止するためには、コンピュータ上でスクリーンセーバなどを起動する際に、パスワードを設定してスクリーンセーバを起動した状態でロックをかけ、キーボードなどからそのパスワードに一致する入力操作が行われない限り、スクリーンセーバの起動状態を解除しない構成とすることが好ましい。
【０００７】
しかしながら、上記のような構成の場合、印刷物を取得して自席に戻ってきたユーザがコンピュータを再び使用するときには、その都度、スクリーンセーバの起動状態を解除するためのパスワード入力操作を行わなければならなくなり、効率的にコンピュータを使用することができないという問題がある。また、煩わしいパスワード入力操作を毎回行う必要があるので、コンピュータの操作性が著しく低下するという問題もある。
【０００８】
そこで本発明は、上記従来の問題点を解決するためになされたものであり、第三者によって表示情報が見られることを良好に防止しつつ、ユーザによるパスワード入力操作の負担を軽減して操作性を向上させるようにした情報処理装置、画像形成システム、画像形成装置およびプログラムを提供することをその目的とするものである。
【課題を解決するための手段】
【０００９】
上記目的を達成するため、請求項１にかかる発明は、画像形成装置において印刷出力を行わせるための印刷ジョブを生成して送信する情報処理装置であって、ユーザによる操作入力を受け付けて各種情報を入力する操作入力手段と、各種情報を表示する表示手段と、前記表示手段の表示画面にマスク処理を施す条件となるマスク処理設定情報を設定する設定手段と、前記マスク処理設定情報に基づいて前記印刷ジョブを送信した後の所定のタイミングで前記表示手段の表示画面にマスク処理を施すと共に、当該マスク処理を施した状態で前記表示手段の表示画面をロックするマスク処理手段と、前記画像形成装置において前記印刷ジョブが実行されることに伴って前記画像形成装置から受信するロック解除指令に基づいて前記表示手段の表示画面のロック状態を解除する解除手段と、を備えることを特徴とする構成である。
【００１０】
請求項２にかかる発明は、請求項１に記載の情報処理装置において、前記解除手段は、前記表示手段の表示画面のロック状態を解除すると共に、前記表示手段の表示画面に施されたマスク処理を解除することを特徴とする構成である。
【００１１】
請求項３にかかる発明は、請求項１又は２に記載の情報処理装置において、前記解除手段は、前記表示手段の表示画面のロック状態を解除してから所定の有効時間が経過するまでの間に前記操作入力手段に対する操作が行われることにより、前記表示手段の表示画面に施されたマスク処理を解除することを特徴とする構成である。
【００１２】
請求項４にかかる発明は、請求項１乃至３のいずれかに記載の情報処理装置において、前記マスク処理手段は、前記表示手段の表示画面のロック状態が解除されてから所定の有効時間が経過するまでの間に前記操作入力手段に対する操作が行われなかった場合、前記表示手段の表示画面にマスク処理を施した状態で前記表示手段の表示画面を再度ロックすることを特徴とする構成である。
【００１３】
請求項５にかかる発明は、請求項１乃至４のいずれかに記載の情報処理装置において、前記マスク処理手段は、前記印刷ジョブを送信した直後のタイミング、前記印刷ジョブを送信してから前記操作入力手段に対する操作が行われない状態で所定時間が経過したタイミング、前記画像形成装置から送信される印刷ジョブ受信通知を受信したタイミング、および、前記画像形成装置から送信される印刷ジョブ実行開始通知を受信したタイミングのうちのいずれかのタイミングで、前記表示手段の表示画面にマスク処理を施すと共に、当該マスク処理を施した状態で前記表示手段の表示画面をロックすることを特徴とする構成である。
【００１４】
請求項６にかかる発明は、印刷ジョブを生成して送信する情報処理装置と、前記情報処理装置から送信される印刷ジョブを受信して印刷出力を行う画像形成装置とを有する画像形成システムであって、前記情報処理装置は、各種情報を表示する表示手段を備えており、前記表示手段の表示画面に施すマスク処理に関するマスク処理設定情報を付加した印刷ジョブを生成し、当該印刷ジョブを前記画像形成装置へ送信した後の所定のタイミングで前記表示手段の表示画面にマスク処理を施すと共に、当該マスク処理を施した状態で前記表示手段の表示画面をロックする構成であり、前記画像形成装置は、前記情報処理装置から受信する印刷ジョブを実行することに伴い、前記マスク処理設定情報に基づいて前記情報処理装置にロック解除指令を送信する構成であり、前記情報処理装置は、前記画像形成装置から受信する前記ロック解除指令に基づいて前記表示手段の表示画面のロック状態を解除することを特徴としている。
【００１５】
請求項７にかかる発明は、印刷ジョブを実行して印刷出力を行う画像形成装置であって、各種情報を表示する表示手段を有する情報処理装置から、前記表示手段の表示画面に施されるマスク処理に関するマスク処理設定情報が付加された印刷ジョブを受信する受信手段と、前記受信手段によって印刷ジョブが受信されることに伴って前記マスク処理設定情報を解析することにより、前記情報処理装置において前記表示手段の表示画面にマスク処理が施された状態でのロックを解除するための条件を判定する条件判定手段と、前記受信手段によって受信された印刷ジョブを実行するジョブ実行手段と、前記ジョブ実行手段によって印刷ジョブが実行されることに伴い、前記条件判定手段で判定された条件に従って前記情報処理装置にマスク処理が施された状態のロックを解除させるためのロック解錠指令を送信する送信手段と、を備えることを特徴とする構成である。
【００１６】
請求項８にかかる発明は、各種情報を表示する表示手段を有するコンピュータにおいて実行されるプログラムであって、前記コンピュータを、前記表示手段の表示画面にマスク処理を施す条件となるマスク処理設定情報を設定する設定手段、前記マスク処理設定情報を付加した印刷ジョブを生成し、当該印刷ジョブを所定の画像形成装置に送信する送信手段、前記マスク処理設定情報に基づいて前記印刷ジョブを送信した後の所定のタイミングで前記表示手段の表示画面にマスク処理を施すと共に、当該マスク処理を施した状態で前記表示手段の表示画面をロックするマスク処理手段、および、前記画像形成装置において前記印刷ジョブが実行されることに伴って前記画像形成装置から受信するロック解除指令に基づいて前記表示手段の表示画面のロック状態を解除する解除手段、として機能させることを特徴とする構成である。
【発明の効果】
【００１７】
本発明によれば、印刷ジョブを送信した後の所定のタイミングで表示手段の表示画面にマスク処理を施されると共に、当該マスク処理が施された態で表示手段の表示画面がロックされる。そして画像形成装置において印刷ジョブが実行されることに伴って画像形成装置から受信するロック解除指令に基づいて表示手段の表示画面のロック状態を自動的に解除する構成である。それ故、表示手段に表示される情報が第三者によって見られることを良好に防止しつつ、ユーザによるパスワード入力操作を軽減することができるので、操作性を向上させることが可能である。
【図面の簡単な説明】
【００１８】
【図１】画像形成システムの一構成例を示す図である。
【図２】情報処理装置のハードウェア構成の一例を示す図である。
【図３】情報処理装置のＣＰＵがユーザの印刷指示に基づきプログラムを起動した状態の機能構成の一例を示すブロック図である。
【図４】情報処理装置の表示装置に表示されるプリンタドライバの設定画面の一例を示す図である。
【図５】情報処理装置から画像形成装置へ送信される印刷ジョブの一例を示す図である。
【図６】画像形成装置のハードウェア構成および機能構成の一例を示す図である。
【図７】画像形成装置から情報処理装置へ送信されるマスク処理指令の一例を示す図である。
【図８】画像形成装置から情報処理装置へ送信されるロック解除指令の一例を示す図である。
【図９】情報処理装置において印刷ジョブの送信指示を検出した場合に行われる処理手順の一例を示すフローチャートである。
【図１０】情報処理装置において印刷ジョブの送信指示を検出した場合に行われる処理手順の一例を示すフローチャートである。
【図１１】画像形成装置において印刷ジョブが受信された場合に行われる処理手順の一例を示すフローチャートである。
【図１２】画像形成装置で行われるセキュリティ印刷処理の詳細な処理手順の一例を示すフローチャートである。
【図１３】情報処理装置においてロック解除指令を受信した場合に行われる処理手順の一例を示すフローチャートである。
【図１４】情報処理装置で行われる有効時間カウント処理の詳細な処理手順の一例を示すフローチャートである。
【発明を実施するための形態】
【００１９】
以下、本発明に関する好ましい実施形態について図面を参照しつつ詳細に説明する。尚、以下に説明する実施形態において互いに共通する部材には同一符号を付しており、それらについての重複する説明は省略する。
【００２０】
図１は、本発明における画像形成システム１の一構成例を示す図である。この画像形成システム１は、例えばオフィス環境などに設置される。画像形成システム１は、ユーザが操作する情報処理装置２と、印刷ジョブを実行する画像形成装置３とが、ネットワーク５に接続された構成である。ネットワーク５は、例えばＬＡＮ（Local Area Network）などのネットワークである。このネットワーク５を介して、情報処理装置２および画像形成装置３のそれぞれが相互にデータ通信可能となっている。尚、ネットワーク５には、情報処理装置２が複数台接続されていても良いし、また画像形成装置３が複数台接続されていても良い。また各種サーバなどがネットワーク５に接続された構成であっても構わない。
【００２１】
画像形成装置３は、ネットワーク５を介して印刷ジョブを受信し、その印刷ジョブを実行することにより印刷出力を行う装置である。画像形成装置３は、プリンタ専用装置であっても良いが、本実施形態では一般にＭＦＰ（Multi Function Peripheral）と称される複合機である場合を例示している。このような複合機は、プリンタ機能、コピー機能、ＦＡＸ機能、スキャナ機能などの複数の機能を備えており、これら各機能に対応するジョブを実行する。
【００２２】
情報処理装置２は、一般的なパーソナルコンピュータ（ＰＣ）などで構成される。このような情報処理装置２は、例えばユーザごとに割り当てられてオフィス環境内に配置されている。通常、ユーザは自身の情報処理装置２を操作しながら職務を行っており、例えば各種ソフトウェアを利用して作成したドキュメントなどの印刷対象データを印刷する際には情報処理装置２にインストールされているプリンタドライバなどのプログラムを起動させて印刷ジョブを画像形成装置３に送信する。
【００２３】
ユーザは、情報処理装置２を操作することにより、画像形成装置３に対して印刷ジョブを送信した後、図中破線で示すように、画像形成装置３で出力される印刷物を取得するために、情報処理装置２から離れて画像形成装置３の設置場所まで移動する。このとき、情報処理装置２の表示装置１３において印刷対象データの内容を表示したままにしておくと、その内容が第三者に盗み見られる可能性がある。そこで、本実施形態の情報処理装置２は、画像形成装置３に対して印刷ジョブを送信した後の所定のタイミングで表示装置１３の表示画面にマスク処理を施すと共に、当該マスク処理を施した状態で表示装置１３の表示画面をロックするように構成される。
【００２４】
表示装置１３の表示画面に施すマスク処理は、例えば印刷対象データの内容が表示されている状態の表示画面を、それとは異なる秘密性のない別の表示画面に切り換えるものであればどのようなものであっても良い。例えば情報処理装置２のオペレーティングシステム（いわゆる、ＯＳ）に搭載されているスクリーンセーバを起動することによって印刷対象データの内容を隠蔽するものであっても良い。またオペレーティングシステムとは別のプログラムを起動することによって印刷対象データの内容を隠蔽するものであっても良い。また表示装置１３をスリープモードに移行させることにより表示画面を消灯させるものであっても良い。さらに、情報処理装置２に対してユーザがログインしている状態をログオフ状態に移行させ、表示画面にログオフ画面を表示させるものあっても構わない。
【００２５】
このようなマスク処理は、情報処理装置２に対して何らかの入力操作が行われると、それによって解除されてしまう可能性がある。そのため、本実施形態では、第三者によってマスク処理が解除されてしまうことを防止するために、表示画面にマスク処理を施した状態で表示装置１３の表示画面をロックする。表示画面に対してマスク処理を施した状態でさらにロックをかけることにより、その後は、ロック解除パスワードに一致するパスワードの入力がない限り、表示画面のロック状態は解除されず、またマスク処理も解除されないようになる。
【００２６】
図２は、情報処理装置２のハードウェア構成の一例を示す図である。情報処理装置２は、各種プログラムを実行するＣＰＵ１０と、ＣＰＵ１０によるプログラム実行に伴って一時的なデータなどを記憶するメモリ１１と、ネットワーク５に接続するためのネットワークインタフェース１２と、液晶表示デバイスなどで構成される表示装置１３と、キーボード１４ａおよびマウス１４ｂを備えて構成される操作入力部１４と、ハードディスク装置などで構成される記憶装置１５とを備えている。そして、これら各部がデータバス１６に接続された構成である。ＣＰＵ１０は、データバス１６を介して、メモリ１１、ネットワークインタフェース１２、表示装置１３、操作入力部１４および記憶装置１５のそれぞれとデータの受け渡しが可能である。
【００２７】
この情報処理装置２には、上述したオペレーティングシステムの他、様々なプログラムがインストールされている。特に本実施形態では、情報処理装置２が画像形成装置３に対して印刷ジョブを送信するためのプリンタドライバとして実行されるプログラム２０がインストールされており、そのプログラム２０が記憶装置１５に記憶されている。このプログラム２０は、印刷ジョブを画像形成装置３に送信するだけでなく、表示装置１３の表示画面にマスク処理を施すと共に、そのマスク処理を施した状態で表示装置１３の表示画面をロックする機能を実現する。さらにプログラム２０は、画像形成装置３とデータ通信を行うことにより、表示装置１３の表示画面にマスク処理が施された状態でのロックを解除したり、表示画面に施されているマスク処理を解除したりする機能を実現する。
【００２８】
また、記憶装置１５には、印刷対象データ２１が記憶されると共に、プログラム２０が実行されることにより参照されるマスク処理設定情報２２が記憶される。尚、このマスク処理設定情報２２は、プログラム２０の動作パラメータとしてプログラム２０に書き込まれた情報であっても構わない。
【００２９】
図３は、情報処理装置２のＣＰＵ１０がユーザの印刷指示に基づきプログラム２０を起動した状態の機能構成の一例を示すブロック図である。ＣＰＵ１０は、プリンタドライバとしてプログラム２０を起動すると、ユーザインタフェース制御部３０、印刷設定処理部３１、印刷ジョブ生成部３３、印刷ジョブ送信部３４、マスク処理部３５およびロック解除部３６として機能する。
【００３０】
ユーザインタフェース制御部３０は、印刷ジョブ送信時のユーザによる各種設定操作を受け付けて処理する制御部である。すなわち、表示装置１３に対して、プリンタドライバとしての設定画面を表示し、キーボード１４ａおよびマウス１４ｂからユーザ操作に基づく操作信号を入力する。ユーザインタフェース制御部３０は、ユーザによって入力される操作信号を印刷設定処理部３１に出力する。またユーザによって印刷ジョブの送信が指示された場合は、印刷ジョブ生成部３３を機能させる。
【００３１】
印刷設定処理部３１は、ユーザ操作に基づいて印刷ジョブに関する設定を行う処理部である。この印刷設定処理部３１は、マスク処理設定部３２を備えている。マスク処理設定部３２は、記憶装置１５に記憶されているマスク処理設定情報２２を読み出し、ユーザ操作に基づいてマスク処理設定情報２２を書き換えることにより、印刷ジョブを送信することに伴って行うマスク処理に関する設定、および、ロック解除に関する設定を行う。
【００３２】
図４は、表示装置１３に表示されるプリンタドライバの設定画面の一例を示す図である。図４に示すように、この設定画面には、カラー設定などの印刷に関する基本設定を行うための基本設定タグ１０１と、印刷時のレイアウト設定を行うためのレイアウトタグ１０２と、表示画面のマスク処理およびロック解除に関する設定を行うための特殊設定タグ１０３とが表示される。ユーザは、マウス１４ｂを操作することによってマウスポインタ１０４を画面内で移動させ、一のタグをクリック操作することにより、所望の設定を行うための画面を表示させることができる。図例では、特殊設定タグ１０３が選択され、表示画面のマスク処理およびロック解除に関する設定を行うためのマスク処理設定画面が表示された状態を示している。図４に示すマスク処理設定画面では、画面左側がマスク処理に関する設定を行うためのマスク処理設定欄１１０となっており、画面右側がロック解除に関する設定を行うためのロック解除設定欄１２０となっている。
【００３３】
マスク処理設定欄１１０には、表示装置１３の表示画面に対するマスク処理設定のオン／オフを切り換えるためのチェック欄１１１が表示されており、マウス操作によってこのチェック欄１１１にチェックマークを付することによりマスク処理設定がオンになる。またチェックマークが消えた状態ではマスク処理設定はオフである。図例では、マスク処理設定がオンになっている状態を示している。マスク処理設定がオンのとき、ユーザはマスク処理の実行タイミングを次の４つのうちから択一的に選択することができる。
【００３４】
第１のタイミングは、情報処理装置２が画像形成装置３に対して印刷ジョブを送信した直後のタイミングである。選択ボタン１１２がクリック操作されると、この第１のタイミングが選択された状態となり、情報処理装置２は、画像形成装置３に対して印刷ジョブを送信した直後のタイミングで表示画面にマスク処理を施すと共に、そのマスク処理を施した状態で表示画面をロックする。尚、図例では、この第１のタイミングが選択された状態を示している。
【００３５】
第２のタイミングは、情報処理装置２が画像形成装置３に対して印刷ジョブを送信した後、ユーザが操作入力部１４に対して操作を行わない非操作状態が所定時間継続したタイミングである。選択ボタン１１３がクリック操作されると、この第２のタイミングが選択された状態となる。この場合、ユーザは、非操作状態であることを検出し続ける所望の時間を時間設定欄１１３ａに設定することができる。この場合、情報処理装置２は、画像形成装置３に対して印刷ジョブを送信した後、ユーザが操作入力部１４に対して何も操作を行わない非操作状態が時間設定欄１１３ａに設定された時間を経過したタイミングで表示画面にマスク処理を施すと共に、そのマスク処理を施した状態で表示画面をロックする。
【００３６】
第３のタイミングは、情報処理装置２から送信した印刷ジョブが画像形成装置３によって受信された後のタイミングである。選択ボタン１１４がクリック操作されると、この第３のタイミングが選択された状態となり、情報処理装置２は、印刷ジョブを送信する際、画像形成装置３に対して印刷ジョブの受信完了後にマスク処理指令を返答するよう要求する。これにより、画像形成装置３が印刷ジョブの受信を完了すると、情報処理装置２に対してマスク処理指令を送信してくるようになる。そして情報処理装置２は、画像形成装置３からマスク処理指令を受信したタイミングで、表示画面にマスク処理を施すと共に、そのマスク処理を施した状態で表示画面をロックする。
【００３７】
第４のタイミングは、情報処理装置２から送信した印刷ジョブが画像形成装置３によって実行が開始されたタイミングである。選択ボタン１１５がクリック操作されると、この第４のタイミングが選択された状態となり、情報処理装置２は、印刷ジョブを送信する際、画像形成装置３に対して印刷ジョブの実行開始時にマスク処理指令を返答するよう要求する。これにより、画像形成装置３が印刷ジョブの実行を開始すると、情報処理装置２に対してマスク処理指令を送信してくるようになる。そして情報処理装置２は、画像形成装置３からマスク処理指令を受信したタイミングで、表示画面にマスク処理を施すと共に、そのマスク処理を施した状態で表示画面をロックする。
【００３８】
このようにユーザはマスク処理設定欄１１０に対する操作を行うことにより、表示画面にマスク処理を施すか否かを設定することができると共に、マスク処理を施す場合にはマスク処理を実行するタイミングを所望のタイミングに選択することができる。
【００３９】
またロック解除設定欄１２０には、表示装置１３の表示画面にマスク処理が施されたロック状態を解除する解除処理設定のオン／オフを切り換えるためのチェック欄１２１が表示されており、マウス操作によってこのチェック欄１２１にチェックマークを付することにより解除処理設定がオンになる。またチェックマークが消えた状態では解除処理設定はオフである。図例では、解除処理設定がオンになっている状態を示している。
【００４０】
解除処理設定がオンのとき、ユーザはパスワード入力欄１２２にロックを解除するためのロック解除パスワードを入力する。ただし、パスワード入力欄１２２へのパスワードの入力は、ユーザが手動操作で入力するものに限られない。例えば、情報処理装置２のオペレーティングシステムに搭載されているスクリーンセーバのロック機能を利用する場合、マスク処理設定部３２は、オペレーティングシステムからスクリーンセーバのロック解除用のパスワードを取得し、その取得したパスワードをパスワード入力欄１２２へ自動的に表示するものであっても構わない。
【００４１】
また、解除処理設定がオンのとき、ユーザは、ロック解除のみを行うか、或いは、ロックとマスク処理の双方を解除するかを選択することができる。例えば、選択ボタン１２３をクリック操作すれば、ロック解除のみを行う設定となり、ロック解除時には表示画面にマスク処理が施された状態でのロックだけが解除され、表示画面にマスク処理の施された状態を継続させる設定となる。また、選択ボタン１２４をクリック操作すれば、ロック解除とマスク処理解除との双方を行う設定となり、ロック解除時には表示画面にマスク処理が施された状態でのロックが解除されると共に、表示画面に施されているマスク処理も解除される設定となる。
【００４２】
さらに、解除処理設定がオンのとき、ユーザは、ロック解除後にそのロック解除された状態を継続させる有効時間を設定することができる。この設定操作は、時間設定欄１２５に対してユーザが所望する時間を入力することにより行われる。ただし、この有効時間は０秒には設定できないようにしておくことが好ましい。これにより、ロックが解除された状態を少なくとも数秒程度は継続させることが可能になる。
【００４３】
このようにユーザはロック解除設定欄１２０に対する操作を行うことにより、表示画面に施されるマスク処理のロック状態を自動的に解除するか否かを設定することができると共に、ロック解除を自動的に行う場合には、ロック解除のみを行うのか、それともロックとマスク処理との双方を同時に解除するのかを選択することができる。さらに、ロックを自動解除した場合のロック解除状態を継続させる時間を適宜設定することが可能である。
【００４４】
また図示を省略するが、ユーザにより基本設定タグ１０１がクリック操作されると、ユーザインタフェース制御部３０は、印刷ジョブに関する基本設定を受け付けるための基本設定画面を表示する。この基本設定画面では、上述したような印刷時のカラー設定などの他、画像形成装置３において印刷ジョブを実行させるタイミングを設定することもできる。例えば、画像形成装置３で印刷ジョブの受信が完了すると直ちに印刷ジョブを実行させる通常印刷と、画像形成装置３で印刷ジョブの受信が完了しても直ぐには印刷ジョブを実行させず、ユーザが画像形成装置３に対してユーザＩＤやパスワードなどの認証情報を入力したタイミングで印刷ジョブを実行させるセキュリティ印刷とを選択的に設定することができる。セキュリティ印刷が設定された場合は、ユーザが画像形成装置３の設置場所に来たことを確認してから印刷ジョブが実行されるので、画像形成装置３で出力される印刷物の内容が第三者に見られてしまうことはなく、セキュリティの高いジョブ実行形態となっている。
【００４５】
上記のようにして、ユーザがプリンタドライバの設定画面に対して各種設定操作を行うと、ユーザインタフェース制御部３０は、その設定操作の内容を表示画面に反映させると共に、その設定操作を印刷設定処理部３１へ通知する。その結果、印刷設定処理部３１は、印刷ジョブに対する各種設定情報を生成し、その情報を印刷ジョブ生成部３３へ出力する。特にマスク処理設定部３２は、図４に示すマスク処理設定画面に対してユーザにより行われる設定操作に基づいてマスク処理設定情報２２を生成する。具体的には、記憶装置１５から読み出したマスク処理設定情報２２に含まれるマスク処理に関する設定値、および、ロック解除に関する設定値を、ユーザによる設定操作に基づいて更新する。そしてマスク処理設定情報２２を更新した場合は、更新後のマスク処理設定情報２２を再び記憶装置１５に記憶する。またマスク処理設定部３２は、ユーザによる設定操作が反映されたマスク処理設定情報２２を印刷ジョブ生成部３３に出力する。
【００４６】
印刷ジョブ生成部３３は、ユーザによる印刷ジョブの送信指示が与えられた場合に動作を開始する。ユーザによる印刷ジョブの送信指示は、例えば図４に示すＯＫボタン１０６がクリック操作されることにより行われる。尚、ユーザは印刷ジョブの送信をすることなく、プログラム２０の実行を終了させる場合、図４に示すキャンセルボタン１０７をクリック操作すれば良い。
【００４７】
印刷ジョブ生成部３３は、ユーザによる印刷ジョブの送信指示が与えられると、記憶装置１５に記憶されている印刷対象データ２１を読み出し、この印刷対象データ２１に基づいて描画用データを生成する。描画用データは、例えば、ＰＤＬ（Page Description Language）、ＰＳ（PostScript）、ＰＣＬ（Printer Control Language）などのデータフォーマットとして生成され、画像形成装置３へ送信される印刷ジョブに含まれる。
【００４８】
また印刷ジョブ生成部３３は、印刷設定処理部３１から入力する情報に基づいて印刷ジョブに付属させる付属情報を生成する。この付属情報には、印刷ジョブを実行する際の印刷設定に関する印刷設定情報と、マスク処理およびロック解除に関するマスク処理設定情報２２とが含まれる。このような付属情報は、例えば、ＰＪＬ（Printer Job Language）などのデータフォーマットとして生成される。
【００４９】
そして印刷ジョブ生成部３３は、上記のようにして生成される描画用データと付属情報とを含む印刷ジョブを生成する。その後、ＣＰＵ１０では印刷ジョブ送信部３４が機能する。
【００５０】
印刷ジョブ送信部３４は、印刷ジョブ生成部３３によって生成される印刷ジョブをネットワークインタフェース１２に出力し、ネットワーク５を介して画像形成装置３へと送信する処理部である。この印刷ジョブ送信部３４により、情報処理装置２から画像形成装置３に対して印刷ジョブが送信される。
【００５１】
マスク処理部３５は、マスク処理設定情報２２に基づいて印刷ジョブを送信した後の所定のタイミングで表示装置１３の表示画面にマスク処理を施すと共に、そのマスク処理を施した状態で表示装置１３の表示画面をロックする処理部である。この処理により、表示装置１３の表示画面は、印刷対象データの内容が表示されない状態に切り換えられ、しかもその状態で画面がロックされるので、ユーザが情報処理装置２から離れた場合であっても第三者によって印刷対象データの内容が閲覧されることを防止できる。
【００５２】
このマスク処理部３５は、例えば印刷ジョブ送信部３４によって印刷ジョブが画像形成装置３に送信されるタイミングで機能し、記憶装置１５に記憶されているマスク処理設定情報２２を読み出す。そして表示装置１３の表示画面に対するマスク処理設定がオン設定であるかを判定し、オン設定であれば、マスク処理実行タイミングを特定する。
【００５３】
マスク処理設定情報２２において、印刷ジョブを送信した直後のタイミングで表示画面にマスク処理を施す設定が行われている場合、マスク処理部３５はその設定に対応した処理を行う。すなわち、マスク処理部３５は、印刷ジョブ送信部３４による印刷ジョブの送信が完了したタイミングで表示装置１３の表示画面にマスク処理を施し、さらにそのマスク処理を施した状態で表示装置１３の表示画面をロックする。
【００５４】
またマスク処理設定情報２２において、印刷ジョブを送信した後、ユーザが操作入力部１４に対して操作を行わない非操作状態が所定時間継続したタイミングで表示画面にマスク処理を施す設定が行われている場合、マスク処理部３５はその設定に対応した処理を行う。すなわち、マスク処理部３５は、印刷ジョブ送信部３４による印刷ジョブの送信が完了したタイミングで、操作入力部１４からの入力信号の有無を所定時間監視する。尚、この所定時間は、図４の時間設定欄１１３ａに設定された時間である。
【００５５】
そして所定時間の間に、操作入力部１４からの入力信号が検出されなかった場合、マスク処理部３５は、表示装置１３の表示画面にマスク処理を施し、さらにそのマスク処理を施した状態で表示装置１３の表示画面をロックする。
【００５６】
これに対し、所定時間の間に、操作入力部１４からの入力信号が検出された場合、マスク処理部３５は、その時点で監視を終了する。この場合、マスク処理部３５は、表示装置１３の表示画面に対するマスク処理やロックは行わない。これにより、例えばユーザが文書データの印刷操作を行った後、それに引き続いて表計算データの印刷操作を繰り返し行いたい場合に、文書データの印刷ジョブを送信した直後に表示装置１３の表示画面にマスク処理が施され、しかも表示画面がロックされてしまうことを防止することができる。
【００５７】
またマスク処理設定情報２２において、情報処理装置２から送信した印刷ジョブが画像形成装置３によって受信された後のタイミングで表示画面にマスク処理を施す設定が行われている場合、又は、情報処理装置２から送信した印刷ジョブが画像形成装置３によって実行が開始されたタイミングで表示画面にマスク処理を施す設定が行われている場合、マスク処理部３５はそれらの設定に対応した処理を行う。すなわち、マスク処理部３５は、印刷ジョブ送信部３４による印刷ジョブの送信が完了した後、画像形成装置３からのマスク処理指令を待機する状態となり、画像形成装置３からマスク処理指令を受信したタイミングで、表示装置１３の表示画面にマスク処理を施し、さらにそのマスク処理を施した状態で表示装置１３の表示画面をロックする。
【００５８】
マスク処理部３５により、表示装置１３の表示画面にマスク処理が施され、さらにそのマスク処理が施された状態で表示装置１３の表示画面がロックされた状態になると、次にロック解除部３６が機能する。
【００５９】
ロック解除部３６は、表示装置１３の表示画面にマスク処理が施された状態でのロックを解除する処理部である。また、ロック解除部３６は、ロックを解除するだけでなく、表示画面に施されたマスク処理を解除することも可能である。ロック解除部３６は、マスク処理部３５によって表示装置１３の表示画面にマスク処理が施され、さらにそのマスク処理が施された状態で表示装置１３の表示画面がロックされた状態になると、画像形成装置３から送信されるロック解除指令を待機する状態となる。ロック解除指令は、画像形成装置３において印刷ジョブが実行され、印刷出力が完了することにより、画像形成装置３から情報処理装置２へと送信される。このロック解除指令には、ロック解除パスワードの他、
ロック解除のみを行うか、又は、ロックとマスク処理の双方を解除するかを示す情報、並びに、ロック解除後にその解除状態を継続させる有効時間に関する情報が含まれている。
【００６０】
ロック解除部３６は、待機状態において画像形成装置３からロック解除指令を受信すると、そのロック解除指令に基づいて表示装置１３の表示画面のロック状態を解除すると共に、必要に応じてマスク処理も同時に解除する。そしてロック解除部３６は、ロックを解除したタイミングで、操作入力部１４からの入力信号の有無を所定時間監視する。尚、この所定時間は、ロック解除状態を継続させる有効時間である。
【００６１】
そして所定時間の間に、操作入力部１４からの入力信号が検出されなかった場合、ロック解除部３６は再びマスク処理部３５を機能させる。これにより、マスク処理部３５は、表示装置１３の表示画面に対して必要に応じてマスク処理を施し、表示画面にマスク処理が施された状態で表示装置１３の表示画面をロックする。
【００６２】
これに対し、所定時間の間に、操作入力部１４からの入力信号が検出された場合、ロック解除部３６は、その時点で監視を終了する。このとき、表示装置１３の表示画面にマスク処理が施されている状態であれば、ロック解除部３６は、操作入力部１４からの入力信号が検出されたことに伴い、表示画面のマスク処理を解除する。
【００６３】
したがって、本実施形態の情報処理装置２は、画像形成装置３における印刷出力が完了してから所定時間が経過するまでの間に、ユーザが画像形成装置３で出力された印刷物を取得し、さらに情報処理装置２の設置場所まで戻ってきて情報処理装置２に対して任意の入力操作を行えば、ロック解除パスワードを入力するための操作を行うことなく、情報処理装置２を使用することが可能である。
【００６４】
図５は、情報処理装置２から画像形成装置３へ送信される印刷ジョブＤ１の一例を示す図である。上述したように、ユーザが自身の情報処理装置２を操作して印刷ジョブ送信指示を行うと、情報処理装置２から画像形成装置３に対して印刷ジョブＤ１が送信される。この印刷ジョブＤ１には、印刷対象データに基づいて生成された描画用データＤ２と、ユーザによる設定操作に基づいて生成された付属情報Ｄ３とが含まれる。また付属情報Ｄ３には、画像形成装置３において印刷ジョブを実行する際の印刷設定を指定する印刷設定情報Ｄ４と、マスク処理およびロック解除に関するマスク処理設定情報Ｄ５とが含まれる。
【００６５】
付属情報Ｄ３に含まれる印刷設定情報Ｄ４には、カラー設定などの印刷ジョブ実行時に適用する各種の設定情報が含まれる他、印刷ジョブの実行タイミングを指定する情報として、上述した通常印刷およびセキュリティ印刷のいずれか一方を指定する情報が含まれる。
【００６６】
また付属情報Ｄ３に含まれるマスク処理設定情報Ｄ５は、情報処理装置２の記憶装置１５に記憶されているマスク処理設定情報２２とほぼ同じ内容の情報である。例えば、マスク処理設定情報Ｄ５には、表示画面に対するマスク処理設定のオン／オフに関する情報が含まれており、マスク処理設定がオンのときには更にマスク処理の実行タイミングに関する情報が含まれる。また、マスク処理設定情報Ｄ５には、ロック状態を解除する解除処理設定のオン／オフに関する情報も含まれている。そして解除処理設定のオンのときには、更に、ロック解除パスワード、ロック解除のみを行うか又はロックとマスク処理の双方を解除するかを示す情報、並びに、ロック解除後にその解除状態を継続させる有効時間に関する情報が含まれている。
【００６７】
画像形成装置３は、このような印刷ジョブＤ１を受信すると、付属情報Ｄ３に含まれる印刷設定情報Ｄ４に基づいて印刷ジョブを実行する。また、画像形成装置３は、付属情報Ｄ３に含まれるマスク処理設定情報Ｄ５に基づいて、情報処理装置２に対し、マスク処理指令や、ロック解除指令を送信する。
【００６８】
図６は、画像形成装置３のハードウェア構成および機能構成の一例を示す図である。画像形成装置３は、各部を制御する制御部４０と、ユーザインタフェースとなる操作パネル４１と、原稿を読み取って画像データを出力するスキャナ部４３と、描画用データに基づいて用紙などの印刷媒体に画像形成を行って印刷出力を行うプリンタ部４４と、ＦＡＸデータの送受信を行うＦＡＸ部４５と、ネットワーク５を介して情報処理装置２とデータ通信を行うためのネットワークインタフェース４６と、ハードディスク装置などで構成される記憶装置４７とを備えており、これらがデータバス４８を介して相互にデータの入出力が可能な構成である。
【００６９】
操作パネル４１は、ユーザに対して各種情報を表示する表示部４１ａと、ユーザが画像形成装置３に対して各種操作を行うための操作部４１ｂとを備えている。表示部４１ａは、例えばカラー液晶ディスプレイなどで構成される。操作部４１ｂは、表示部４１ａの表示画面に配置されたタッチパネルキーと、表示部４１ａの周囲に配置された押しボタンキーとを備えている。例えば、セキュリティ印刷を設定した印刷ジョブを実行する場合、ユーザは操作パネル４１を操作することによってユーザＩＤやパスワードなどの認証情報を入力し、画像形成装置３にログインする。画像形成装置３は、ログインユーザに対応したセキュリティ印刷の印刷ジョブを記憶している場合、その印刷ジョブを読み出して実行する。
【００７０】
記憶装置４７には、セキュリティ印刷が設定された印刷ジョブを記憶するためのジョブ記憶部４９が設けられている。画像形成装置３は、ネットワーク５を介して受信した印刷ジョブに、セキュリティ印刷の設定が行われていれば、受信後直ちに印刷ジョブを実行するのではなく、その受信した印刷ジョブをジョブ記憶部４９に記憶する。そして上述したように印刷ジョブを送信したユーザが画像形成装置３にログインすることにより、ジョブ記憶部４９からセキュリティ印刷の印刷ジョブを読み出して実行する。
【００７１】
制御部４０は、例えばＣＰＵとメモリとを備えており、ＣＰＵが所定のプログラムを実行することにより、各部を制御する制御手段として機能する。特に本実施形態においては、制御部４０は、ネットワーク５を介して受信する印刷ジョブの実行を制御すると共に、情報処理装置２に対してマスク処理指令を送出したり、ロック解除指令を送出したりするように構成されている。
【００７２】
このような制御部４０は、図６に示すように、ジョブ受信部５０、ジョブ解析部５１、ジョブ実行部５３、マスク処理指令部５４、および、ロック解除指令部５５として機能する。尚、制御部４０は、この他にも種々の処理部として機能するが、それらについて図示を省略している。
【００７３】
ジョブ受信部５０は、情報処理装置２から送信される印刷ジョブＤ１を、ネットワークインタフェース４６を介して受信する処理部である。ジョブ受信部５０は、印刷ジョブＤ１を受信すると、ジョブ解析部５１を機能させる。
【００７４】
ジョブ解析部５１は、ジョブ受信部５０によって受信された印刷ジョブＤ１を解析する処理部である。このジョブ解析部５１は、印刷ジョブＤ１に含まれる印刷設定情報Ｄ４を解析し、印刷ジョブの実行タイミングとして通常印刷が設定されていれば、その印刷ジョブＤ１をジョブ実行部５３に出力する。これに対し、セキュリティ印刷が設定されていれば、ジョブ受信部５０によって受信された印刷ジョブＤ１をジョブ記憶部４９に保存する。
【００７５】
またジョブ解析部５１は、条件判定部５２を備えている。条件判定部５２は、印刷ジョブＤ１に含まれるマスク処理設定情報Ｄ５を解析することにより、情報処理装置２において表示装置１３の表示画面にマスク処理を施すためのマスク処理指令を送信する必要があるか否かを判定する。情報処理装置２にマスク処理指令を送信する必要がある場合、条件判定部５２は、マスク処理指令を送信する条件（すなわち、マスク処理の実行タイミング）を判定する。マスク処理設定情報Ｄ５において、画像形成装置３が印刷ジョブＤ１を受信したタイミングでマスク処理を実行する設定となっている場合、条件判定部５２は、印刷ジョブＤ１の受信が完了したことに伴い、マスク処理指令部５４を機能させ、情報処理装置２に対してマスク処理指令を送信させる。また、マスク処理設定情報Ｄ５において、画像形成装置３が印刷ジョブＤ１の実行を開始したタイミングでマスク処理を実行する設定となっている場合、条件判定部５２は、ジョブ実行部５３が印刷ジョブＤ１の実行を開始したタイミングで、マスク処理指令部５４を機能させ、情報処理装置２に対してマスク処理指令を送信させる。
【００７６】
また条件判定部５２は、印刷ジョブＤ１に含まれるマスク処理設定情報Ｄ５を解析することにより、情報処理装置２において表示装置１３の表示画面にマスク処理が施されたロック状態を解除するためのロック解除指令を送信する必要があるか否かを判定する。情報処理装置２にロック解除指令を送信する必要がある場合、条件判定部５２は、ロック解除指令を送信する条件を判定する。これにより、ロック解除のみを行うか、又は、ロックとマスク処理の双方を解除するかが特定されると共に、ロックを解除した状態での有効時間を特定することができる。また、ロックを解除するためのロック解除パスワードも特定することができる。そして条件判定部５２は、その特定した情報をロック解除指令部５５に通知する。
【００７７】
ジョブ実行部５３は、印刷ジョブＤ１に含まれる描画用データＤ２をプリンタ部４４に出力することでジョブの実行を制御する処理部である。このとき、印刷ジョブＤ１に含まれる印刷設定情報Ｄ４に基づいてプリンタ部４４の駆動制御を行うことにより、ユーザによって指定された印刷設定を反映させた印刷出力を行う。
【００７８】
ジョブ実行部５３は、ジョブ受信部５０によって通常印刷として設定されている印刷ジョブＤ１が受信されると、その印刷ジョブＤ１に基づいて直ちに印刷ジョブの実行を開始する。またユーザが操作パネル４１を操作することによって画像形成装置３にログインした場合、そのログインユーザに対応するセキュリティ印刷の印刷ジョブＤ１がジョブ記憶部４９に記憶されていれば、それを読み出し、その読み出した印刷ジョブＤ１に基づいて印刷ジョブの実行を開始する。そしてジョブ実行部５３は、印刷ジョブＤ１に基づく印刷出力が完了すると、ロック解除指令部５５を機能させる。
【００７９】
マスク処理指令部５４は、情報処理装置２に対してマスク処理指令を送信する処理部である。マスク処理指令部５４は、条件判定部５２によって指定されたタイミングでマスク処理指令を情報処理装置２に送信する。例えば、マスク処理設定情報Ｄ５において、画像形成装置３が印刷ジョブＤ１を受信したタイミングでマスク処理を実行する設定となっている場合、マスク処理指令部５４は、ジョブ受信部５０によって印刷ジョブＤ１の受信が完了したことに伴い、マスク処理指令を情報処理装置２に送信する。また、マスク処理設定情報Ｄ５において、画像形成装置３が印刷ジョブＤ１の実行を開始したタイミングでマスク処理を実行する設定となっている場合、マスク処理指令部５４は、ジョブ実行部５３が印刷ジョブＤ１の実行を開始したタイミングで、マスク処理指令を情報処理装置２に送信する。ただし、情報処理装置２が印刷ジョブＤ１を送信したことにより、情報処理装置２の内部処理で既にマスク処理が施されている場合には、マスク処理指令部５４はマスク処理指令を送信する必要はない。
【００８０】
ロック解除指令部５５は、ジョブ実行部５３が印刷ジョブＤ１を実行し、それに伴う印刷出力が全て完了したタイミングでロック解除指令を情報処理装置２に送信する処理部である。ロック解除指令部５５は、条件判定部５２から通知される情報に基づいてロック解除指令を生成する。すなわち、ロック解除指令部５５によって情報処理装置２に送信されるロック解除指令には、ロックを解除するためのロック解除パスワードと、ロック解除のみを行うか、又は、ロックとマスク処理の双方を解除するかを示す情報と、ロックを解除した状態での有効時間を示す情報とが含まれる。
【００８１】
図７は、画像形成装置３から情報処理装置２へ送信されるマスク処理指令の一例を示す図である。上述したように、画像形成装置３から情報処理装置２に対してマスク処理指令が送信されるタイミングには２つのタイミングがある。
【００８２】
図７（ａ）は、画像形成装置３が印刷ジョブＤ１を受信したタイミングでマスク処理指令を送信する場合を示している。この場合、例えば画像形成装置３から情報処理装置２に対し印刷ジョブＤ１を正常に受信したことを示す印刷ジョブ受信通知Ｄ１１が送信され、その印刷ジョブ受信通知Ｄ１１にマスク処理指令Ｄ１２が含まれる。情報処理装置２は、このマスク処理指令Ｄ１２を受信することにより、表示装置１３の表示画面に対してマスク処理を施すと共に、表示画面をロックする。
【００８３】
図７（ｂ）は、画像形成装置３が印刷ジョブＤ１に基づくジョブの実行を開始したタイミングでマスク処理指令を送信する場合を示している。この場合、例えば画像形成装置３から情報処理装置２に対して印刷ジョブの実行を開始したことを示す印刷ジョブ実行開始通知Ｄ１３が送信され、その印刷ジョブ実行開始通知Ｄ１３にマスク処理指令Ｄ１４が含まれる。情報処理装置２は、このマスク処理指令Ｄ１４を受信することにより、表示装置１３の表示画面に対してマスク処理を施すと共に、表示画面をロックする。
【００８４】
次に図８は、画像形成装置３から情報処理装置２へ送信されるロック解除指令の一例を示す図である。上述したように、画像形成装置３において印刷ジョブの実行が完了すると、画像形成装置３から情報処理装置２に対してロック解除指令が送信される。この場合、例えば画像形成装置３から情報処理装置２に対して印刷ジョブの実行が完了したことを示す印刷ジョブ実行完了通知Ｄ２１が送信され、その印刷ジョブ実行完了通知Ｄ２１にロック解除指令Ｄ２２が含まれる。また、ロック解除指令Ｄ２２には、上述したように、ロック解除パスワードの他、ロック解除のみを行うか、又は、ロックとマスク処理の双方を解除するかを示す情報と、ロックを解除した状態での有効時間を示す情報とが含まれる。情報処理装置２は、このロック解除指令Ｄ２２を受信することにより、表示装置１３の表示画面に対してマスク処理を施したロック状態を解除する。
【００８５】
したがって、画像形成装置３で出力された印刷物９を取得したユーザが、所定時間の間に自席に戻って情報処理装置２を操作すれば、表示装置１３の表示画面に施されたロックが解除されているので、ユーザ自らロック解除パスワードの入力操作を行わなくても、情報処理装置２を使用することができるようになる。
【００８６】
次に、上記のように構成された情報処理装置２および画像形成装置３の動作について説明する。
【００８７】
まず、情報処理装置２において表示装置１３の表示画面にマスク処理を施すための動作について説明する。図９および図１０は、情報処理装置２において印刷ジョブの送信指示を検出した場合に行われる処理手順の一例を示すフローチャートである。この処理は、ＣＰＵ１０によって行われる処理であり、例えば、情報処理装置２の表示装置１３に対して図４に示すプリンタドライバの設定画面が表示されている状態で、ユーザがＯＫボタン１０６をクリック操作することにより、情報処理装置２に対して印刷ジョブの送信指示を与えた場合に開始される。
【００８８】
ＣＰＵ１０は、ユーザによる印刷ジョブの送信指示を検出すると、印刷対象データ２１を読み込み（ステップＳ１０１）、その印刷対象データ２１に基づいて画像形成装置３へ送信するための印刷ジョブＤ１を生成する（ステップＳ１０２）。またＣＰＵ１０は、マスク処理設定情報２２を読み込む（ステップＳ１０３）。そして表示画面のロック解除設定がオンであるか否かを判断し（ステップＳ１０４）、オンであれば、印刷ジョブＤ１の付属情報Ｄ３に、ロック解除設定に関するマスク処理設定情報Ｄ５を付加する（ステップＳ１０５）。尚、ロック解除設定がオフであれば、ロック解除設定に関するマスク処理設定情報Ｄ５は付加しない。
【００８９】
そしてＣＰＵ１０は、表示画面のマスク処理設定がオンであるか否かを判断し（ステップＳ１０６）、オンであれば、画像形成装置３から受信するマスク処理指令に基づいてマスク処理を実行するか否かを判断する（ステップＳ１０７）。その結果、画像形成装置３から受信するマスク処理指令に基づいてマスク処理を実行する場合は、印刷ジョブＤ１の付属情報Ｄ３に、マスク処理設定に関するマスク処理設定情報Ｄ５を付加する（ステップＳ１０８）。これに対し、ロック解除設定がオフである場合（ステップＳ１０６でＮＯ）、又は、画像形成装置３からマスク処理指令を受信しなくても印刷ジョブＤ１の送信後に情報処理装置２の内部処理でマスク処理を実行可能な場合（ステップＳ１０７でＮＯ）は、マスク処理設定に関するマスク処理設定情報Ｄ５は付加しない。
【００９０】
そしてＣＰＵ１０は、上記のようして生成された印刷ジョブＤ１を画像形成装置３に送信する（ステップＳ１０９）。続いて図１０のフローチャートに進み、ＣＰＵ１０は、印刷ジョブの送信直後にマスク処理を実行するか否かを判断する（ステップＳ１１０）。印刷ジョブの送信直後にマスク処理を実行する場合（ステップＳ１１０でＹＥＳ）、ＣＰＵ１０は、表示画面にマスク処理を施し（ステップＳ１１２）、さらにマスク処理を施した状態で表示画面をロックする（ステップＳ１１３）。
【００９１】
一方、印刷ジョブの送信直後にマスク処理を実行しない場合（ステップＳ１１０でＮＯ）、ＣＰＵ１０は、印刷ジョブを送信してから非操作状態が所定時間継続した後にマスク処理を実行するか否かを判断する（ステップＳ１１４）。ここでＮＯと判断された場合はステップＳ１１８へと進む。これに対し、ＹＥＳと判断された場合は、印刷ジョブＤ１が送信されたことに伴って時間計測を開始する（ステップＳ１１５）。そして所定時間が経過した否かを判断する（ステップＳ１１６）。尚、この所定時間は、図４に示す時間設定欄１１３ａに設定された時間である。そして所定時間が経過していない場合、ＣＰＵ１０はさらにユーザによる操作を検出したか否かを判断する（ステップＳ１１７）。ここでは、操作入力部１４から何らかの操作信号を入力していればＹＥＳとなり、操作信号を全く入力していなければＮＯとなる。そしてユーザによる操作を検出していなければ、ステップＳ１１６に戻り、所定時間が経過するまで同様の処理を繰り返す。そしてユーザによる操作を検出することなく、所定時間が経過した場合（ステップＳ１１６でＹＥＳ）、ＣＰＵ１０は、表示画面にマスク処理を施し（ステップＳ１１２）、さらにマスク処理を施した状態で表示画面をロックする（ステップＳ１１３）。これに対し、所定時間が経過するまでの間に、ユーザによる操作を検出した場合（ステップＳ１１７でＹＥＳ）、ＣＰＵは、表示画面に対するマスク処理およびロック処理を行うことなく、ループ処理を抜ける。
【００９２】
そしてステップＳ１１８に進み、ＣＰＵ１０は、画像形成装置３から受信するマスク処理指令に基づいてマスク処理を実行するか否かを判断する（ステップＳ１１８）。その結果、画像形成装置３から受信するマスク処理指令に基づいてマスク処理を実行する場合（ステップＳ１１８でＹＥＳ）は、画像形成装置３からマスク処理指令を受信するまで待機する（ステップＳ１１９）。そしてマスク処理指令を受信すると、ＣＰＵ１０は、それに伴って、表示画面にマスク処理を施し（ステップＳ１２０）、さらにマスク処理を施した状態で表示画面をロックする（ステップＳ１２１）。一方、画像形成装置３から受信するマスク処理指令に基づいてマスク処理を実行する設定にはなっていない場合（ステップＳ１１８でＮＯ）、ＣＰＵ１０は、ステップＳ１１９〜Ｓ１２１を行うことなく、処理を終了する。
【００９３】
情報処理装置２において上記のような処理が行われることにより、情報処理装置２が印刷ジョブを送信した後の所定のタイミングで表示装置１３の表示画面にマスク処理を施すことができると共に、そのマスク処理を施した状態で表示装置１３の表示画面をロックすることができる。そして情報処理装置２は、上記のようにして表示装置１３の表示画面をロックした状態にすると、その後は画像形成装置３から送信されるロック解除指令の受信待機状態へと移行する。
【００９４】
次に、画像形成装置３において印刷ジョブＤ１が受信された場合の動作について説明する。図１１および図１２は、画像形成装置３において印刷ジョブＤ１が受信された場合に行われる処理手順の一例を示すフローチャートである。この処理は、主として画像形成装置３の制御部４０によって行われる。
【００９５】
制御部４０は、情報処理装置２から送信された印刷ジョブＤ１を受信すると、その印刷ジョブＤ１に含まれる付属情報Ｄ３を読み込む（ステップＳ２０１）。そして印刷ジョブＤ１の解析を行う（ステップＳ２０２）。そして制御部４０は、印刷ジョブＤ１を受信した後に、情報処理装置２においてマスク処理が実行されるか否かを判断する（ステップＳ２０３）。マスク処理設定情報Ｄ５において印刷ジョブＤ１を受信した後にマスク処理が実行される設定となっていれば（ステップＳ２０３でＹＥＳ）、制御部４０は、印刷ジョブＤ１の受信が完了することに伴い、情報処理装置２に対してマスク処理指令を送信する（ステップＳ２０４）。一方、そのような設定になっていない場合（ステップＳ２０３でＮＯ）、制御部４０は、マスク処理指令を送信することなく、次のステップＳ２０５に進む。
【００９６】
次に制御部４０は、セキュリティ印刷の設定が行われているか否かを判断する（ステップＳ２０５）。その結果、セキュリティ印刷の設定が行われていれば（ステップＳ２０５でＹＥＳ）、セキュリティ印刷処理を実行する（ステップＳ２０６）。尚、このセキュリティ印刷処理の詳細については後述する。
【００９７】
これに対し、セキュリティ印刷の設定が行われていない場合（ステップＳ２０５でＮＯ）、通常印刷となるので、制御部４０は受信した印刷ジョブＤ１に基づくジョブの実行を直ちに開始する（ステップＳ２０７）。これにより、画像形成装置３では、印刷ジョブＤ１に基づく印刷出力が開始される。そして制御部４０は、印刷ジョブＤ１に基づくジョブの実行開始時に、情報処理装置２においてマスク処理が実行されるか否かを判断する（ステップＳ２０８）。マスク処理設定情報Ｄ５において印刷ジョブの実行開始時にマスク処理が実行される設定となっていれば（ステップＳ２０８でＹＥＳ）、制御部４０は、印刷ジョブの実行開始に伴い、情報処理装置２に対してマスク処理指令を送信する（ステップＳ２０９）。一方、そのような設定になっていない場合（ステップＳ２０８でＮＯ）、制御部４０は、マスク処理指令を送信することなく、次のステップＳ２１０に進む。
【００９８】
そして制御部４０は、印刷ジョブＤ１に基づく印刷出力が完了するまで待機する状態となり（ステップＳ２１０）、印刷出力が完了すると、表示画面のロック解除設定がオンになっているか否かを判断する（ステップＳ２１１）。そしてロック解除設定がオンになっていれば、予め判定されているロック解除の条件に従ってロック解除指令を生成し、そのロック解除指令を情報処理装置２に送信する（ステップＳ２１２）。これに対し、ロック解除設定がオフであれば、制御部４０は、ロック解除指令を送信することなく、処理を終了する。
【００９９】
図１２は、画像形成装置３で行われるセキュリティ印刷処理（ステップＳ２０６）の詳細な処理手順の一例を示すフローチャートである。受信した印刷ジョブＤ１にセキュリティ印刷の設定が行われている場合、制御部４０は、その受信した印刷ジョブＤ１をジョブ記憶部４９に記憶する（ステップＳ２３１）。その後、ユーザによって認証情報が入力されるのを待機する状態となり（ステップＳ２３２）、認証情報が入力されると、その認証情報が印刷ジョブＤ１に設定されている認証情報と一致するか否かを判断する（ステップＳ２３３）。そして認証情報が一致することにより、ステップＳ２３４へと進む。一方、認証情報が一致しなければ、ステップＳ２３２に戻る。
【０１００】
ユーザによって入力された認証情報が一致した場合、制御部４０は、ジョブ記憶部４９から印刷ジョブＤ１を読み込み（ステップＳ２３４）、その印刷ジョブＤ１に基づくジョブの実行を開始する（ステップＳ２３５）。これにより、画像形成装置３では、印刷ジョブＤ１に基づく印刷出力が開始される。そして制御部４０は、印刷ジョブＤ１に基づくジョブの実行開始時に、情報処理装置２においてマスク処理が実行されるか否かを判断する（ステップＳ２３６）。マスク処理設定情報Ｄ５において印刷ジョブの実行開始時にマスク処理が実行される設定となっていれば（ステップＳ２３６でＹＥＳ）、制御部４０は、印刷ジョブＤ１の実行開始に伴い、情報処理装置２に対してマスク処理指令を送信する（ステップＳ２３７）。一方、そのような設定になっていない場合（ステップＳ２３６でＮＯ）、制御部４０は、マスク処理指令を送信することなく、次のステップＳ２３８に進む。
【０１０１】
そして制御部４０は、印刷ジョブＤ１に基づく印刷出力が完了するまで待機する状態となり（ステップＳ２３８）、印刷出力が完了すると、表示画面のロック解除設定がオンになっているか否かを判断する（ステップＳ２３９）。そしてロック解除設定がオンになっていれば、予め判定されているロック解除の条件に従ってロック解除指令を生成し、そのロック解除指令を情報処理装置２に送信する（ステップＳ２４０）。これに対し、ロック解除設定がオフであれば、制御部４０は、ロック解除指令を送信することなく、処理を終了する。
【０１０２】
画像形成装置３において上記のような処理が行われることにより、画像形成装置３が印刷ジョブＤ１を受信した後の所定のタイミングで、情報処理装置２に、表示装置１３の表示画面に対してマスク処理を実行させるためのマスク処理指令を送信することができると共に、印刷ジョブＤ１に基づくジョブの実行が完了したタイミングで、情報処理装置２に、表示画面のロック状態を解除させるためのロック解除指令を送信することができる。
【０１０３】
次に情報処理装置２において画像形成装置３から送信されるロック解除指令を受信した場合の動作について説明する。図１３および図１４は、情報処理装置２においてロック解除指令を受信した場合に行われる処理手順の一例を示すフローチャートである。この処理は、情報処理装置２のＣＰＵ１０によって行われる。
【０１０４】
ＣＰＵ１０は、画像形成装置３からロック解除指令を受信すると、その時点で表示装置１３の表示画面にマスク処理を施しているか否かを判断する（ステップＳ１５１）。マスク処理が施されていない場合は、解除の必要がないため、この処理は終了する。これに対し、マスク処理が施されている場合（ステップＳ１５１でＹＥＳ）、ＣＰＵ１０は、受信したロック解除指令を解析する（ステップＳ１５２）。これにより、ロック解除指令に含まれるロック解除パスワードやその他の情報が抽出される。そしてＣＰＵ１０は、ロック解除指令に含まれるロック解除パスワードが、マスク処理設定情報２２に設定されているロック解除パスワードに一致するか否かを判断する（ステップＳ１５３）。ここでロック解除パスワードが一致しない場合、ロック解除を行うことができないので、この処理は終了する。一方、ロック解除パスワードが一致した場合（ステップＳ１５３でＹＥＳ）、ＣＰＵ１０は、表示装置１３の表示画面にマスク処理が施されている状態でのロックを解除する（ステップＳ１５４）。ここでは、ロックだけが解除され、表示画面にマスク処理が施されている状態はそのまま保持される。
【０１０５】
次にＣＰＵ１０は、ロック解除指令に基づき、マスク処理を解除するか否かを判断する（ステップＳ１５５）。そしてロック解除指令に、マスク処理を解除する指令が含まれていれば、表示画面のマスク処理を解除する（ステップＳ１５６）。これにより、表示装置１３の表示画面は、例えば印刷対象データの内容が表示された状態に復帰する。尚、ロック解除指令に、マスク処理を解除する指令が含まれていなければ、マスク処理は解除しない。この場合、ロックだけが解除された状態のまま継続する。
【０１０６】
そしてＣＰＵ１０は、ロック解除指令に基づき、有効時間の指定が含まれているか否かを判断する（ステップＳ１５７）。ロック解除指令に有効時間の指定が含まれていない場合、そのまま処理を終了する。一方、ロック解除指令に有効時間の指定が含まれる場合（ステップＳ１５７でＹＥＳ）、ＣＰＵ１０は、有効時間カウント処理を実行する（ステップＳ１５８）。
【０１０７】
図１４は、有効時間カウント処理（ステップＳ１５８）の詳細な処理手順の一例を示すフローチャートである。ＣＰＵ１０は、有効時間のカウント動作を開始する（ステップＳ１７１）。そしてＣＰＵ１０は、ユーザによる操作を検出したか否かを判断する（ステップＳ１７２）。ここでは、操作入力部１４から何らかの操作信号を入力していればＹＥＳとなり、操作信号を全く入力していなければＮＯとなる。そしてユーザによる操作を検出していなければ、有効時間が経過したか否かを判断する（ステップＳ１７３）。ここで、有効時間が未だ経過していない場合（ステップＳ１７３でＮＯ）、ステップＳ１７２に戻り、ユーザによる操作を検出するか、或いは、有効時間が経過するまで、同様の処理を繰り返す。
【０１０８】
そして有効時間が経過するまでの間に、ユーザによる操作を検出した場合（ステップＳ１７２でＹＥＳ）、ＣＰＵ１０は、有効時間のカウント動作を終了する（ステップＳ１７４）。このとき、表示画面にマスク処理が施されていれば、そのマスク処理を解除する。そして全ての処理が終了する。
【０１０９】
またユーザによる操作を検出することなく、有効時間が経過した場合（ステップＳ１７３でＹＥＳ）、ＣＰＵ１０は、表示装置１３の表示画面に対して再びマスク処理を施す（ステップＳ１７５）。尚、既にマスク処理が施されている状態であれば、ステップＳ１７５の処理は行わなくても良い。そしてＣＰＵ１０は、マスク処理を施した状態で表示画面を再びロックする（ステップＳ１７６）。そして全ての処理が終了する。
【０１１０】
情報処理装置２において上記のような処理が行われることにより、表示装置１３の表示画面にマスク処理を施してロックしている状態を、画像形成装置３において印刷ジョブの実行が完了した後に、自動的に解除することができる。また、その解除状態を、予め設定されている有効時間が経過するまでの間、継続させることができる。そのため、ユーザは、その有効時間が経過するまでの間に、印刷物を取得してきて情報処理装置２に対して何らかの入力操作を行うことで情報処理装置２を使用することができるようになる。このとき、煩わしいロック解除パスワードの入力操作を行う必要がないので、操作性が著しく向上する。またユーザが印刷物を取得した後、直ぐには自席に戻らないようなときには、表示装置１３の表示画面に対して再びマスク処理が施されると共に、マスク処理が施された状態で表示画面がロックされるので、第三者によって印刷対象データの内容が見られてしまうことを良好に防止することが可能である。
【０１１１】
以上のように本実施形態の情報処理装置２は、画像形成装置３に対して印刷ジョブＤ１を送信した後の所定のタイミングで、表示装置１３の表示画面にマスク処理を施すと共に、そのマスク処理を施した状態で表示装置１３の表示画面をロックする。そして画像形成装置３において印刷ジョブＤ１が実行されることに伴い、画像形成装置３から受信するロック解除指令に基づいて表示装置１３の表示画面のロック状態を解除するように構成されている。したがって、ユーザが画像形成装置３で出力される印刷物を取得するために、情報処理装置２から離れた場合であっても、表示装置１３に表示される情報が第三者によって見られることを良好に防止することが可能である。さらに、印刷物を取得して戻ってきたユーザは、情報処理装置２に対してロック解除パスワードを入力することなく、情報処理装置２を使用することができるようになるので、ユーザによるパスワード入力操作の負担を軽減することができ、情報処理装置２の操作性を著しく向上させることが可能である。
【０１１２】
また情報処理装置２は、表示装置１３の表示画面のロック状態が解除されてから所定の有効時間が経過するまでの間に操作入力部１４に対するユーザの操作が行われなかった場合、表示装置１３の表示画面にマスク処理を施した状態で表示装置１３の表示画面を再度ロックすることもできる。そのため、ユーザが長時間戻らないような場合でも、表示装置１３に表示される情報が第三者によって見られてしまうことを良好に防止することが可能である。
【０１１３】
また情報処理装置２は、画像形成装置３に対して印刷ジョブＤ１を送信した直後のタイミング、印刷ジョブＤ１を送信してから操作入力部１４に対する操作が行われない状態で所定時間が経過したタイミング、画像形成装置３から送信される印刷ジョブ受信通知を受信したタイミング、および、画像形成装置３から送信される印刷ジョブ実行開始通知を受信したタイミングのうちのいずれかのタイミングで、表示装置１３の表示画面にマスク処理を施すと共に、そのマスク処理を施した状態で表示装置１３の表示画面をロックするように構成されている。ユーザは、これら複数のタイミングから所望のタイミングを選択することができるので、より一層操作性の優れたものとなっている。
【０１１４】
また本実施形態の画像形成装置３は、情報処理装置２から、表示装置１３の表示画面に施されるマスク処理に関するマスク処理設定情報Ｄ５が付加された印刷ジョブＤ１を受信した場合、マスク処理設定情報Ｄ５を解析することにより、情報処理装置２において表示装置１３の表示画面にマスク処理が施された状態でのロックを解除するための条件を判定し、その印刷ジョブＤ１を実行することに伴い、予め判定された条件に従って情報処理装置２にマスク処理が施された状態のロックを解除させるためのロック解錠指令を送信するように構成されている。このような画像形成装置３と連携することにより、本実施形態の情報処理装置２は、第三者によって表示情報が見られることを良好に防止しつつ、ユーザによるパスワード入力操作の負担を軽減して操作性を向上させることが可能になる。
【０１１５】
以上、本発明に関する一実施形態について説明したが、本発明は上述した実施形態に限定されるものではない。すなわち、本発明には、上述した実施形態以外にも種々の変形例が適用可能である。
【０１１６】
例えば上記実施形態では、情報処理装置２において表示装置１３の表示画面にマスク処理を施してロックするマスク処理部３５、および、表示画面のロックやマスク処理を解除するロック解除部３６が、プリンタドライバの機能に含まれる場合を例示した。しかしながら、マスク処理部３５およびロック解除部３６の機能は、プリンタドライバに含まれていなくても良く、プリンタドライバと連携して動作する別のプログラムによって実現される機能であっても構わない。
【符号の説明】
【０１１７】
１  画像形成システム
２  情報処理装置（コンピュータ）
３  画像形成装置
５  ネットワーク
１３  表示装置（表示手段）
１４  操作入力部（操作入力手段）
２０  プログラム
３２  マスク処理設定部（マスク処理設定手段）
３３  印刷ジョブ生成部
３４  印刷ジョブ送信部
３５  マスク処理部（マスク処理手段）
３６  ロック解除部（解除手段）
５０  ジョブ受信部（受信手段）
５２  条件判定部（条件判定手段）
５３  ジョブ実行部（ジョブ実行手段）
５４  マスク処理指令部
５５  ロック解除指令部
Ｄ１  印刷ジョブ
Ｄ５  マスク処理設定情報
Ｄ２２  ロック解除指令
【図１】
2011198168.tif 000003
【図２】
2011198168.tif 000004
【図３】
2011198168.tif 000005
【図４】
2011198168.tif 000006
【図５】
2011198168.tif 000007
【図６】
2011198168.tif 000008
【図７】
2011198168.tif 000009
【図８】
2011198168.tif 000010
【図９】
2011198168.tif 000011
【図１０】
2011198168.tif 000012
【図１１】
2011198168.tif 000013
【図１２】
2011198168.tif 000014
【図１３】
2011198168.tif 000015
【図１４】
2011198168.tif 000016